(57)【特許請求の範囲】
【請求項１】
遊技盤の背面に配置された支持部材と、
遊技を行う際に作動する第１制御手段が収容されており、前記支持部材から立設するように前記支持部材に支持されているとともに、先端部に回動軸が設けられた回動軸付ケースと、
遊技を行う際に作動する第２制御手段が収容されており、一端部が前記回動軸付ケースの回動軸に回動自在に連結されたケースと、
遊技を行う際に作動する第３制御手段が収容されており、前記支持部材から立設し、かつ、前記回動軸付ケースに対向するように前記支持部材に支持されているとともに、先端部で前記ケースの他端部を受ける受支持部材とを備えたことを特徴とする遊技機。
【請求項２】
前記ケースの他端部には接続部材が設けられ、前記受支持部材の先端部には前記接続部材と接続されて固定される被接続部材が設けられていることを特徴とする請求項１記載の遊技機。
【請求項３】
前記接続部材は、前記被接続部材に嵌合可能に設けられていることを特徴とする請求項２記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置されるパチンコ機やスロットマシン等の遊技機は、遊技盤や本体枠に、遊技媒体の供給に基づいて作動するランプや音声発生装置などの様々な装置及びこれら装置を制御する制御装置を備えており、遊技者が遊技を行う際にこれらが作動することによって遊技を興趣に溢れたものとしている。また、近年では、リール表示装置または液晶画像表示装置等の図柄表示装置を備えて遊技に用いているものも多い。これらの装置も遊技機の内部に配設された制御装置によって制御されている。
【０００３】
これらの制御装置は通常、それぞれケース内に収容されて電気的保安性が保たれている。そして、これらケースは、遊技機本体内に設けられた支持部材に取り付けられたり、支持部材に支持された受支持部材に取り付けられていることが多い。
【発明の開示】
【発明が解決しようとする課題】
【０００４】
しかしながら、上記のような遊技機であっては、受支持部材の支持部材への取り付け方法として、ネジ止めやラッチ機能を有するピンによる取り付け方法などが採用されており、これら別部品を用いることによるコストの増加や、製造時及びリサイクル時においてケースを支持部材に着脱する際の手間が掛かるという欠点があった。
【０００５】
本発明は、上記従来技術の問題を解決するためになされたものであり、受支持部材を支持部材に低コストで且つ簡便に着脱させることができる遊技機を提供することを目的とする。
【課題を解決するための手段】
【０００６】
上記目的を達成するために、本発明の遊技機は、遊技盤の背面に配置された支持部材と、遊技を行う際に作動する第１制御手段が収容されており、前記支持部材から立設するように前記支持部材に支持されているとともに、先端部に回動軸が設けられた回動軸付ケースと、遊技を行う際に作動する第２制御手段が収容されており、一端部が前記回動軸付ケースの回動軸に回動自在に連結されたケースと、遊技を行う際に作動する第３制御手段が収容されており、前記支持部材から立設し、かつ、前記回動軸付ケースに対向するように前記支持部材に支持されているとともに、先端部で前記ケースの他端部を受ける受支持部材とを備えたことを特徴とするものである。
【０００７】
また、前記ケースの他端部には接続部材が設けられ、前記受支持部材の先端部には前記接続部材と接続されて固定される被接続部材が設けられていることが好適である。
これにより、ケースと受支持部材とを、接続部材と被接続部材によって強固に接続することができる。
【０００８】
また、前記接続部材は、前記被接続部材に嵌合可能に設けられていることが好適である。
これにより、ケースと受支持部材とを接続して固定することを容易に行うことができる。
【発明の効果】
【０００９】
ケースの他端部に接続部材を設け、受支持部材の先端部に接続部材と接続されて固定される被接続部を設ければ、接続部材と被接続部材によってケースと受支持部材とを強固に接続することができる。
【００１０】
また、接続部材を被接続部に嵌合可能に設けることで、ケースと受支持部材とを接続して固定することが容易となる。
【発明を実施するための最良の形態】
【００１１】
図１に本発明を用いた遊技機の実施の形態であるパチンコ機の外観を示す。パチンコ機２の本体枠３の内部には遊技盤４が配設されており、遊技盤４の前面には開口扉（前面枠）５が開閉自在に設けられている。この開口扉５の中央には開口５ａが形成されており、この開口５ａは開口扉５の裏側に取り付けられるガラス枠６（図２参照）のガラス板７により遮蔽されている。また、パチンコ機２には、遊技を行う際に作動されるランプ３０（図３に図示）、音声発生装置３１（図３に図示）などの各種装置が適宜の位置に配設されている。開口扉５の下方には、遊技球（遊技媒体）をパチンコ機２に供給するための供給皿８及び遊技球の打ち出し強さを調節する操作ハンドル９が設けられている。遊技者が供給皿８に遊技球を投入すると、内部に設けられた通路により遊技球は発射装置へと誘導される。そして、操作ハンドル９を操作して遊技盤４の後述する遊技領域４ａ（図２に図示）に遊技球を打ち出す。なお、開口扉５が閉じている状態である場合には、遊技者や遊技場の作業者等は、ガラス板７を介して遊技盤４の遊技領域４ａ及び遊技領域４ａを流下していく遊技球を見ることはできるが、遊技盤４にはもちろんのこと、本体枠３の内部に備えられた電子機器にも触れることはできないようになっている。
【００１２】
図２に示すように、遊技盤４の背面には、支持部材１１が遊技盤４に対して着脱自在に取り付けられている。支持部材１１には、後述する主制御装置２０（図３に図示）等の、遊技を行う際に作動される制御装置（制御手段）をそれぞれ収容した複数のケースと、後述する受支持部材３６（図４に図示）とが取り付けられて支持されている。
【００１３】
遊技盤４上にはガイドレール１２に囲まれた遊技領域４ａが形成され、始動入賞口１３、通常入賞口１４、アタッカ１５等の所定入賞口、及びアウト口１６、図柄表示装置１７が配設されている。また、遊技領域４ａには、図示を省略した釘、風車などが設けられている。これらの構造物は公知であるので説明は省略する。また、開口扉５を開放することで、遊技場の作業者等がこれらの構造物の調整などを行うことができるようになる。なお、遊技盤４の本体枠３への取付方法については図示はしないが、例えばネジ止めにより本体枠３に組み付けたり、本体枠３又は遊技盤４の少なくともいずれか一方に所定の保持部材を設けて遊技盤４を本体枠３の所定位置に保持したり等、パチンコ機２の構成等を考慮して、適宜本体枠３に組み付けるようにすれば良い。
【００１４】
図３に示すように、パチンコ機２の作動は基本的に主制御装置２０におけるマイクロコンピュータによって管制される。主制御装置２０は、ＣＰＵ２０ａ及びＲＯＭ２０ｂ及びＲＡＭ２０ｃから構成されている。ＣＰＵ２０ａは、ＲＯＭ２０ｂに記憶されている遊技制御プログラムに基づいてパチンコ機の遊技状態を制御する。ＲＯＭ２０ｂには、遊技制御プログラム及び乱数生成処理プログラム及び乱数テーブルなどが所定の領域に格納されており、これらはＣＰＵ２０ａなどによって適宜用いられる。ＲＡＭ２０ｃは、記憶手段としてワーキングエリアとなっており、遊技履歴や、遊技媒体の供給に基づいて行われる遊技ごとに利用されるデータなどの一時的記憶や書き換えなどに用いられる。
【００１５】
始動入賞口１３には、始動入賞口１３に入賞した遊技球を検知する始動入賞球センサ２１が設けられ、通常入賞口１４には、通常入賞口１４に入賞した遊技球を検知する通常入賞球センサ２２が設けられ、アタッカ１５には、アタッカ１５内部に入賞した遊技球を検知するアタッカ入賞球センサ２３が設けられている。なお、始動入賞口１３または通常入賞口１４またはアタッカ１５に遊技球が入賞すると、入賞した遊技球は遊技盤４の裏側で回収されるとともに、遊技利益となる所定数の遊技球が払出装置３２にて賞球として払い出される。
【００１６】
主制御装置２０には、入力インターフェイス２４を介して、始動入賞球検知センサ２１及び通常入賞球検知センサ２２及びアタッカ入賞球検知センサ２３からの信号が入力される。また、図柄制御部２６及びランプ制御部２７及び音声制御部２８及び払出制御部２９に対して、主制御装置２０にて制御処理された情報 (命令）信号が出力インターフェイス２５を介して出力される。
【００１７】
図柄制御部２６は、主制御装置２０からの出力信号を受けて、図柄表示装置１７における表示制御を行う。
【００１８】
ランプ制御部２７は、主制御装置２０からの出力信号を受けて、開口扉５や遊技盤４に設けられたランプ３０の点灯の制御を行う。
【００１９】
音声制御部２８は、主制御装置２０からの出力信号を受けて、本体枠３内に設けられた音声発生装置３１から発する音声の出力制御を行う。
【００２０】
払出制御部２９は、主制御装置２０からの出力信号を受けて、払出装置３２による賞球の払い出しの制御を行う。また、払出制御部２９は、発射装置３３による遊技球の打ち出しの制御を行っている発射制御部３４に対して、エラー発生時などに発射停止信号を送って遊技球の打ち出しを停止させる。
【００２１】
ランプ制御部２７と音声制御部２８はランプ＆音声制御装置３５である同一の基板上に設けられている。
【００２２】
図４〜図６に本発明を用いた受支持部材を示す。図４は、受支持部材３６の外観斜視図であり、図５は受支持部材３６の正面図であり、図６は図５におけるＡ−Ａ線に沿う断面図である。受支持部材３６は略箱状であって、受支持部材３６の一方の側面（図５において右側の面）の、後面側の縁部には略直方体状の突起３７、３８が互いに間隔をおいて突設されている。受支持部材３６の他方の側面（図５において左側の面）の、後面側の縁部には板状で略コ字状の係合片３９が突設されている。係合片３９の内側は、受支持部材３６を支持部材１１に取り付ける際に、後述する係止片４９、５０（図７に図示）が通る空間となっている。また、これら受支持部材３６及び突起３７、３８及び係合片３９のそれぞれの後面は面一となっている。これら突起３７、３８及び係合片３９は、後述する被係合部５１（図７に図示）と係合する係合部４０を構成する。また、受支持部材３６の正面の上部及び下部にはそれぞれ略円筒状の受支持台（被接続部材）４１が１つずつ突設されている。受支持台４１には、後述するピン（接続部材）５２（図９に図示）を嵌合する嵌合穴４１ａが設けられている。
【００２３】
また、受支持部材３６の内側には、中継基板４２を装着するための互いに対面する１対の狭持部材４３が上下に２ヶ所設けられている。即ち、上の狭持部材４３は、その間に挿入された中継基板４２の一端部を狭持し、下の狭持部材４３は、その間に挿入された中継基板４２の他端部を狭持する。中継基板４２は、入力インターフェイス２４及び出力インターフェイス２５と、遊技を行う際に作動される各種制御装置とのそれぞれに電気的に接続されたハーネスが接続されるものであって、それらハーネスを中継する基板である。即ち、中継基板４２は制御手段と電気的に接続される基板である。なお、受支持部材３６内に収容される基板は、中継基板４２に限られず、例えば、遊技を行う際に作動されるランプや音声発生装置などの各種装置を制御する機能が設けられた基板など、遊技機の構成によって適宜のものとすれば良い。
【００２４】
支持部材１１のうち、受支持部材３６が取り付けられて支持される部分を図７に示す。支持部材１１の、受支持部材３６が取り付けられて支持される部分の図７における右上部には、略直方体状の凸ブロック４６が設けられ、凸ブロック４６と上下に並んで下方に凸ブロック４８が互いに間隔をおいて設けられている。凸ブロック４６の図７における左側面には、受支持部材３６の突起３７が嵌合される穴４５が設けられており、凸ブロック４８の図７における左側面には、受支持部材３６の突起３８が嵌合される穴４７が設けられている。受支持部材３６が取り付けられて支持される部分の図７における左上部には、係止片４９が設けられ、係止片４９と上下に並んで下方に係止片５０が互いに間隔をおいて設けられている。係止片４９、５０は、断面がＬ字状（図１１参照）であって、その内側にて係合片３９の縁部を係止するよう設けられている。これら穴４５、４７及び係止片４９、５０は被係合部５１を構成する。係止片４９と係止片５０との間には、爪状の保持部５２が設けられている。保持部５２は、可撓性を有する樹脂材で形成されており、保持部５２に設けられた板部５２ａが撓むことで変位可能となっている。即ち、板部５２ａが撓むことで、突起３７、３８が穴４５、４７に嵌合している状態及び係止片４９、５０が係合片３９の縁部を係止している状態を保持する保持位置より、突起３７、３８が穴４５、４７に嵌合している状態及び係止片４９、５０が係合片３９の縁部を係止している状態を解除可能な解除位置に保持部５２は変位する。そして、板部５２ａが撓んだ状態から復帰することで、保持部５２は解除位置より保持位置に変位する。なお、保持部５２の材質は樹脂材に限られず、保持部５２が可撓性を有するように、金属など適宜の材質とすれば良い。
【００２５】
支持部材１１が受支持部材３６を支持し、受支持部材３６が主制御装置収容ケース６０を支持している状態の外観を図８に示し、このときに受支持部材３６と主制御装置収容ケース６０とが接続される態様の例を図９に示す。図８に示すように、受支持部材３６は、図４における受支持部材３６の後面を支持部材１１に当接させた状態で取り付けられる。そして、図９に示すように、受支持部材３６は主制御装置収容ケース６０を支持する。主制御装置収容ケース６０にはピン６２が設けられており、主制御装置収容ケース６０が受支持部材３６に支持されているときに、受支持台４１に設けられた嵌合穴４１ａにピン６２を嵌合させることによって受支持部材３６と主制御装置収容ケース６０は接続されて固定される。主制御装置収容ケース６０は、主制御装置２０を収容するケースであって、支持部材１１に支持されている収容ケース（回動軸付きケース）６１に設けられた軸６１ａ、６１ｂ、６１ｃに回動自在となるよう取り付けられており、受支持部材３６と接続されていないときには、軸６１ａ、６１ｂ、６１ｃを回動軸として回動自在となる。収容ケース６１は、ランプ＆音声制御装置３５を収容するケースである。
【００２６】
以上のように構成されたパチンコ機の作用について、図１０〜図１３を用いて説明する。図１０〜図１３は、受支持部材３６を支持部材１１に対して着脱する手順を示している。また、図１０は、受支持部材３６が支持部材１１に取り付けられている状態の正面外観を示し、図１１〜図１３は、図１０に示すＢ−Ｂ線に沿う断面を示している。
【００２７】
受支持部材３６を支持部材１１に取り付ける際に、先ず、図１１に示すように、係合片３９の内側の空間が、係止片４９、５０の上方にあり、且つ、係合片３９が保持部５２の上方にあるよう、受支持部材３６を配置する。
【００２８】
次に、図１２に示すように、受支持部材３６を図１１に示した位置から支持部材１１に降ろしながら、係合片３９で保持部５２を押下すると板部５２ａが撓み、保持部５２は保持位置より解除位置に変位する。そして、図１３に示すように受支持部材３６を凸ブロック４６に向けて移動させて、突起３７、３８をそれぞれ穴４５、４７に嵌合させる。このとき、係止片４９、５０が係合片３９の縁部を係止するとともに、保持部５２は、係合片３９による押圧から開放されて保持位置に復帰し、係合片３９の縁部を係止して、被係合部５１と係合部４０とが係合した状態を保持する。
【００２９】
受支持部材３６を支持部材１１より取り外す際には、先ず、保持部５２を作業者の指により押圧して、保持位置から解除位置に変位させる。以後、上述した取り付け手順を逆に行うことによって、受支持部材３６を支持部材１１から取り外すことができる。
【００３０】
なお、上記実施形態では、受支持部材３６の係合部４０が突起３７、３８及び係合片３９で構成され、支持部材１１の被係合部５１が穴４５、４７及び係止片４９、５０で構成されていたが、例えば、受支持部材３６に穴と係止片を設けてこれらを係合部とし、支持部材１１に突起と係合片を設けてこれらを被係合部とするなど、係合部及び被係合部の構成は適宜の態様を用いて良い。
【００３１】
上記実施形態では、受支持部材３６は主制御装置収容ケース６０を支持していたが、これに代えて、ランプ制御装置や音声発生装置を制御する装置など、適宜の制御装置を収容するケースを支持するとしても良い。
【図面の簡単な説明】
【００３２】
【図１】本発明を実施したパチンコ機の外観を示す斜視図である。
【図２】本体枠と遊技盤とを分解して示す斜視図である。
【図３】図１に示したパチンコ機内部の電気的構成を示す機能ブロック図である。
【図４】受支持部材の外観を示す斜視図である。
【図５】受支持部材の正面図である。
【図６】図５におけるＡ−Ａ線に沿う断面図である。
【図７】受支持部材が支持される支持部材の部分を示す斜視図である。
【図８】支持部材が受支持部材を支持し、受支持部材が主制御装置収容ケースを支持している状態を示す斜視図である。
【図９】受支持部材と主制御装置収容ケースとが接続される態様の例を示す図である。
【図１０】受支持部材を支持部材に取り付ける手順を示す説明図である。
【図１１】受支持部材を支持部材に取り付ける手順を示す説明図である。
【図１２】受支持部材を支持部材に取り付ける手順を示す説明図である。
【図１３】受支持部材を支持部材に取り付ける手順を示す説明図である。
【符号の説明】
【００３３】
２  パチンコ機（遊技機）
４  遊技盤
１１  支持部材
２０  主制御装置（制御手段）
３６  受支持部材
３７、３８  突起
３９  係合片
４０  係合部
４１  受支持台（被接続部材）
４１ａ  嵌合穴
４２  中継基板（基板）
４５、４７  穴
４９、５０  係止片
５１  被係合部
５２  保持部
５２ａ  板部
６０  主制御装置収容ケース（ケース）
６１  収容ケース（回動軸付きケース）
６２  ピン（接続部材）
【図１】
0004503054.tif 000002
【図２】
0004503054.tif 000003
【図３】
0004503054.tif 000004
【図４】
0004503054.tif 000005
【図５】
0004503054.tif 000006
【図６】
0004503054.tif 000007
【図７】
0004503054.tif 000008
【図８】
0004503054.tif 000009
【図９】
0004503054.tif 000010
【図１０】
0004503054.tif 000011
【図１１】
0004503054.tif 000012
【図１２】
0004503054.tif 000013
【図１３】
0004503054.tif 000014